(57)【特許請求の範囲】
【請求項１】
基板と、
前記基板上の行方向に配置されたｎ行のストライプ状の第１電極と、
前記第１電極全面上に配置された板状の発光薄膜部材と、
前記第１電極と直交する列方向の前記発光薄膜部材上に配置されたｍ列のストライプ状の第２電極とを備え、
前記第１及び第２電極のいずれのほぼ中央部分に各々の給電点が設けられ、前記給電点から駆動電圧を供給するようになされた平面表示装置。
【請求項２】
前記ｎ行の第１電極の数を基板の行方向にｐ分割し、かつ、前記ｍ列の第２電極の数を基板の列方向にｑ分割する場合であって、
前記第１電極の数をｐ分割した各々の電極のグループに駆動電圧を供給する第１から第ｐの駆動回路と、
前記第２電極の数をｑ分割した各々の電極のグループに駆動電圧を供給する第１から第ｑの駆動回路とを備える請求項１記載の平面表示装置。
【請求項３】
前記発光薄膜部材は有機ＥＬ素子又は無機ＥＬ素子である請求項１に記載の平面表示装置。
【請求項４】
前記有機ＥＬ素子及び無機ＥＬ素子は白色発光ＥＬ素子である請求項３に記載の平面表示装置。
【発明の詳細な説明】
【０００１】
【発明の属する技術分野】
この発明は、有機薄膜ＥＬ（Ｅlectroluminescent）パネルや電界発光パネルをタイル状に敷き詰めた大型平面ディスプレイなどに適用して好適な平面表示装置に関する。詳しくは、板状の発光薄膜部材の一方の面の行方向に配置されたｎ行のストライプ状の第１電極と、その他方の面の列方向に配置されたｍ列のストライプ状の第２電極とのいずれもほぼ中央部分に各々の給電点を設け、表示画面の左右上下端での階調性、色再現性等の表示特性を均等にできるようにしたものである。
【０００２】
【従来の技術】
近年、有機薄膜ＥＬ（Ｅlectroluminescent）素子を有した平面表示装置に関して、小型なものでは車載用のインフォメーション・ディスプレイなどに応用され、大型なものではそれをタイル状に敷き詰めた壁掛け表示装置に応用される場合が考えられる。
【０００３】
図１０は従来方式の平面表示装置１０の構成例を示す背面から見た概念図である。この種の平面表示装置１０は有機ＥＬディスプレイを成し、図１０に示すガラス基板１を有している。例えば、ＶＧＡ表示の４８０×６４０画素の有機ＥＬディスプレイの場合には、ガラス基板１上の行方向に、ｎ＝６４０行のストライプ状のコラム電極Ｙ１〜Ｙ640が配置されている。
【０００４】
このコラム電極Ｙ１〜Ｙ640の全面上には、例えば白色発光ＥＬ素子２が配置されている。各々のコラム電極Ｙ１〜Ｙ640と直交する列方向の白色発光ＥＬ素子２上には、ｍ＝４８０列のストライプ状のロウ電極Ｘ１〜Ｘ480が配置されている。従来方式では、コラム電極Ｙ１〜Ｙ640及びロウ電極Ｘ１〜Ｘ480のいずれもほぼ一端に電極引き出し接続部分となる、図１０で黒の四角印に示す給電点が設けられる。
【０００５】
つまり、ガラス基板１の右側上部にはプリント基板３Ａが配置され、その基板３Ａ上にはドライバＩＣ４Ａが半田付けされている。このドライバＩＣ４Ａはガラス基板１の列方向の上半分のロウ電極Ｘ１〜Ｘ240にフレキシブル配線５Ａを介して接続され、そのロウ電極Ｘ１〜Ｘ240に画素選択用の駆動電圧が供給される。同様にして、ガラス基板１の右側下部にはプリント基板３Ｂが配置され、その基板３Ｂ上にはドライバＩＣ４Ｂが半田付けされている。このドライバＩＣ４Ｂは、その列方向の下半分のロウ電極Ｘ241〜Ｘ480にフレキシブル配線５Ｂを介して接続され、そのロウ電極Ｘ241〜Ｘ480に画素選択用の駆動電圧が供給される。
【０００６】
更に、ガラス基板１の左側上部にはプリント基板３Ｃが配置され、その基板３Ｃ上にはドライバＩＣ４Ｃが半田付けされている。このドライバＩＣ４Ｃは、その行方向の左半分のコラム電極Ｙ１〜Ｙ320にフレキシブル配線５Ｃを介して接続されて駆動電圧が供給される。同様にして、ガラス基板１の右側上部にはプリント基板３Ｄが配置され、その基板３Ｄ上にはドライバＩＣ４Ｄが半田付けされている。このドライバＩＣ４Ｄは、その行方向の右半分のコラム電極Ｙ321〜Ｙ640にフレキシブル配線５Ｄを介して接続され、そのコラム電極Ｙ321〜Ｙ640に画素表示用の駆動電圧が供給される。
【０００７】
【発明が解決しようとする課題】
ところで、従来方式の平面表示装置１０によれば、ロウ電極Ｘ１〜Ｘ480及びコラム電極Ｙ１〜Ｙ640を引き出す際に、各々の電極Ｘ１〜Ｘ480及びＹ１〜Ｙ640のの端部分あるいは端近くの部分に給電点を設け、これらの給電点と、プリント基板３Ａ〜３Ｄに半田付けされた各々のドライバＩＣ４Ａ〜４Ｄとをフレキシブル配線５Ａ〜５Ｄなどにより接続していた。
【０００８】
一般に、パネル内部のロウ電極Ｘ１〜Ｘ480や、コラム電極Ｙ１〜Ｙ640には、その電極自体の比抵抗から生じる電気抵抗と、ロウ電極Ｘ１〜Ｘ480とコラム電極Ｙ１〜Ｙ640との間に生ずる寄生容量が存在する。上述の電気抵抗は電極材料等の制限から高くなってしまったり、寄生容量は電極間の距離などの構造上の制限から大きくなったりする。
【０００９】
このため、図１１に示す平面表示装置１０のロウ電極の１ラインを抽出した回路例において、表示画面の右端画素に供給される信号電圧波形と、その左端画素に供給される信号電圧波形とが大きく異なってしまう。
【００１０】
これは、右端画素の信号電圧波形に対して、特に、左端画素においては、給電点Ｐから供給された信号電圧が、途中の電極の電気抵抗Ｒと右端画素の寄生容量Ｃとにより積分されてしまい、これが原因で、信号電圧波形が鈍ってしまうと考えられる。従って、画面の右端側とその左端側で輝度特性や階調特性が異なってしまい、特にパネル周辺部で画像の均一性が大きく損なわれてしまう。
【００１１】
従って、複数の平面表示装置１０をタイル状に敷き詰めて大型平面ディスプレイを構成したときに、それらの平面表示装置１０の継ぎ目に輝度ムラを生じてしまい、表示品質の向上の妨げとなるという問題がある。
【００１２】
そこで、本発明は上記の課題に鑑み創作されたものであり、表示画面の左右上下端での階調性、色再現性等の表示特性を均等にできるようにした平面表示装置を提供することを目的とする。
【００１３】
【課題を解決するための手段】
上述した課題は、基板と、その基板上の行方向に配置されたｎ行のストライプ状の第１電極と、この第１電極全面上に配置された板状の発光薄膜部材と、第１電極と直交する列方向の発光薄膜部材上に配置されたｍ列のストライプ状の第２電極とを備え、第１及び第２電極のいずれのほぼ中央部分に各々の給電点が設けられ、給電点から駆動電圧を供給するようになされたことを特徴とする第１の平面表示装置によって解決される。
【００１４】
本発明によれば、第１及び第２電極のいずれもほぼ中央部分に各々の給電点が設けられ、その給電点から駆動電圧が供給される。
【００１５】
例えば、ｎ行の第１電極の数を基板の行方向にｐ分割し、かつ、ｍ列の第２電極の数を基板の列方向にｑ分割する場合であって、第１電極の数をｐ分割した各々の電極のグループには第１から第ｐの駆動回路によって駆動電圧が供給され、第２電極の数をｑ分割した各々の電極のグループには第１から第ｑの駆動回路によって駆動電圧が供給される。
【００１６】
従って、各々の給電点から第１電極の各々の末端までの電圧降下分布を均等にすることができる。同様に、各々の給電点から第２電極の各々の末端までの電圧降下をほぼ均等にすることができるので、左右上下の輝度のむらを無くすことができる。
【００１７】
【発明の実施の形態】
以下、図面を参照しながら、この発明の実施形態としての平面表示装置について説明をする。
（１）第１の実施形態
図１は本発明に係る第１の実施形態としての平面表示装置１００の構成例を示す後面から見た概念図である。
【００１８】
この実施形態では、パネル状発光薄膜部材の一方の面の行方向にストライプ状の第１電極をｎ行配置すると共に、その他方の面の列方向にストライプ状の第２電極をｍ列配置し、これらの第１及び第２電極のいずれもほぼ中央部分に各々の給電点を設け、その給電点から駆動電圧を供給して、表示画面の左右上下の端部の画素に印加される信号電圧波形をその画面両端・上下端で等しくなるようにすると共に、表示画面の左右上下端での階調性、色再現性等の表示特性を均等にできるようにしたものである。
【００１９】
この発明の平面表示装置１００は有機ＥＬディスプレイを成し、図１に示すガラス基板１１を有している。このガラス基板側が平面表示装置１００としての表示画面側である。例えば、ＶＧＡ表示の４８０×６４０画素の有機ＥＬディスプレイの場合は、ガラス基板１１上の行方向に、ｎ＝６４０行のストライプ状のコラム電極（第１電極）Ｙ１〜Ｙ640が配置されている。このコラム電極Ｙ１〜Ｙ640は例えばＩＴＯ（Ｉndium Ｔin Ｏxide）膜などの透明電極から成る。
【００２０】
このコラム電極Ｙ１〜Ｙ640の全面上には板状の発光薄膜部材として例えば白色発光ＥＬ素子１２が配置されている。各々のコラム電極Ｙ１〜Ｙ640と直交する列方向の白色発光ＥＬ素子１２上には、例えば、ｍ＝４８０列のストライプ状のロウ電極（第２電極）Ｘ１〜Ｙ480が配置されている。このロウ電極Ｘ１〜Ｘ480は例えばアルミニウム膜などの金属電極から成る。
【００２１】
以下、この例ではコラム電極Ｙ１〜Ｙ640、及び、ロウ電極Ｘ１〜Ｘ48を有する場合について説明する。従って、コラム電極Ｙ１〜Ｙ640及びロウ電極Ｘ１〜Ｘ480のいずれもほぼ中央部分に、つまり、電極両端の画素から等距離の位置に電極引き出し接続部分となる、図１で黒の四角印に示す給電点が設けられる。この例では、これらの給電点から駆動電圧を供給するようになされ、これらの給電点は、もちろん、当該装置１００の表示画面側ではなくその裏面側から引き出される。
【００２２】
例えば、第１ライン目のロウ電極Ｘ１に着目すると、画面の左端の画素はロウ電極Ｘ１とコラム電極Ｙ１の交点である。これを画素（Ｘ１，Ｙ１）と表現すると、画面の右端の画素は（Ｘ１，Ｙ640）と表現できる。この画素間を結ぶ線分の長さをＬとすると、通常、画素ピッチは等間隔になされるので、第１ライン目のロウ電極の給電点はＬ／２の位置、すなわち、画素（Ｘ１，Ｙ320）と画素（Ｘ１，Ｙ32１）との間の位置となる。以下、同様にして、第２ライン目のロウ電極の給電点は画素（Ｘ２，Ｙ320）と画素（Ｘ２，Ｙ32１）との間の位置になり、第４８０ライン目のロウ電極の給電点は画素（Ｘ480，Ｙ320）と画素（Ｘ480，Ｙ32１）との間の位置になる。
【００２３】
また、第１行目のコラム電極Ｙ１に着目すると、画面の上端の画素は（Ｘ１，Ｙ１）であり、画面の下端の画素は（Ｘ480，Ｙ１）と表現できる。この画素間を結ぶ線分の長さをＭとすると、通常、画素ピッチは等間隔になされるので、第１行目のコラム電極の給電点はＭ／２の位置、すなわち、画素（Ｘ240，Ｙ１）と画素（Ｘ241，Ｙ１）との間の位置となる。以下、同様にして、第２行目のコラム電極の給電点は画素（Ｘ240，Ｙ２）と画素（Ｘ241，Ｙ２）との間の位置になり、第６４０行目のコラム電極の給電点は画素（Ｘ240，Ｙ640）と画素（Ｘ241，Ｙ640）との間の位置になる。
【００２４】
更に、ガラス基板１１の右側上部にはプリント基板１３Ａが配置され、その基板１３Ａ上にはドライバＩＣ１４Ａが半田付けされている。このドライバＩＣ１４Ａは、ガラス基板１１の列方向の上半分のロウ電極Ｘ１〜Ｘ240のいずれもＬ／２の位置に設けられた２４０箇所の給電点に接続され、そのロウ電極Ｘ１〜Ｘ240のグループに画素選択用の駆動電圧が供給される。プリント基板１３と各々の給電点とは、例えば、２４０本のリード線を横方向に並べた状態で異方性の導伝膜により固定したフレキシブル配線（基板）１５Ａによって接続される。
【００２５】
同様にして、ガラス基板１１の左側下部にはプリント基板１３Ｂが配置され、その基板１３Ｂ上にはドライバＩＣ１４Ｂが半田付けされている。このドライバＩＣ１４Ｂは、その列方向の下半分のロウ電極Ｘ241〜Ｘ480のいずれもＬ／２に設けられた残り２４０箇所の給電点に接続され、そのロウ電極Ｘ241〜Ｘ480のグループに画素選択用の駆動電圧が供給される。プリント基板１３Ｂと各々の給電点とは上述したようなフレキシブル配線（基板）１５Ｂによって接続される。上述のドライバＩＣ１４Ａ、１４Ｂが第１〜第ｑの駆動回路を構成する。
【００２６】
更に、ガラス基板１１の左側上部にはプリント基板１３Ｃが配置され、その基板１３Ｃ上にはドライバＩＣ１４Ｃが半田付けされている。このドライバＩＣ１４Ｃは、その行方向の左半分のコラム電極Ｙ１〜Ｙ320のいずれもＬ／２に設けられた３２０箇所の給電点に接続され、そのコラム電極Ｙ１〜Ｙ320のグループに画素表示用の駆動電圧が供給される。プリント基板１３Ｃと各々の給電点とは、３２０本のリード線が上述した異方性の導伝膜により固定されたフレキシブル配線（基板）１５Ｃによって接続される。
【００２７】
同様にして、ガラス基板１１の右側下部にはプリント基板１３Ｄが配置され、その基板１３Ｄ上にはドライバＩＣ１４Ｄが半田付けされている。このドライバＩＣ１４Ｄは、その行方向の右半分のコラム電極Ｙ321〜Ｙ640のいずれもＬ／２に設けられた残りの３２０箇所の給電点に接続され、そのコラム電極Ｙ321〜Ｙ640のグループに画素表示用の駆動電圧が供給される。プリント基板１３Ｄと各々の給電点とは上述したようなフレキシブル配線１５Ｄによって接続される。上述のドライバＩＣ１４Ｃ、１４Ｄが第１〜第ｐの駆動回路を構成する。
【００２８】
続いて、平面表示装置１００のセル構造を説明する。例えば、図２に示すモノクロ用の有機ＥＬセル４０では、ガラス基板１１上に透明電極を成す膜厚数百Å〜数千Å程度のコラム電極４１がストライプ状に形成され、このコラム電極４１が陽極を成す。このコラム電極４１上及びその電極４１の周りには膜厚数百Å〜数千Å程度の有機層４２が形成されている。有機層４２は正孔を伝送する有機正孔輸送層４２Ａ、蛍光を発光する有機発光層４２Ｂ及び電子を伝送する有機電子輸送層４２Ｃを有している。
【００２９】
この例では、有機層４２には白色発光ＥＬ素子１２が使用される。もちろん、白色発光ＥＬ素子１２に限られることはない。赤色発光ＥＬ素子、青色発光ＥＬ素子、緑色発光ＥＬ素子を用いてもよい。
【００３０】
また、有機電子輸送層４２Ｃ上には金属電極から成るロウ電極４３がストライプ状に形成されている。ロウ電極４３は陰極を成し、電子を放出し易いＡｌ−Ｌｉ合金なが使用される。なお、カラー薄膜ディスプレイを構成する場合には、Ｒ（赤）、Ｇ（緑）、Ｂ（青）の各フィルタがガラス基板１１と透明電極との間に設けられる。
【００３１】
続いて、有機ＥＬセル４０の発光原理を説明する。例えば、図３に示すロウ電極４３に直流電源の−極を接続し、コラム電極４１にその＋極を接続して１０〜１５Ｖ程度の直流電圧を供給する。
【００３２】
そして、コラム電極４１から電流を注入すると、真ん中にある有機層４２が発光する。つまり、有機正孔輸送層１２Ａから伝送されてきた正孔と、有機電子輸送層４３Ｃから伝送されてきた電子とにより有機発光層４２Ｂで励起子が形成され、この励起子により有機発光層４２Ｂで蛍光が発光される。この例の有機ＥＬセルでは、電流密度が０．０１Ａ／ｃｍ2の励起条件で、輝度が１００ｃｄ／ｍ2 で、効率が１ｌｍ／Ｗ程度である。
【００３３】
従って、ガラス基板１１上のコラム電極４１とロウ電極４３とが交差する点を１画素とし、そのガラス基板１１とコラム電極４１との間にカラーフィルタを設け、その画素を時分割で選択するようにすれば、カラー表示を行うことができる。
【００３４】
次に、平面表示装置１００の動作を説明する。例えば、ｐ＝ｑ＝２の場合であって、ガラス基板１１の列方向の上半分のロウ電極Ｘ１〜Ｘ240にはドライバＩＣ１４Ａから駆動電圧が供給され、その列方向の下半分のロウ電極Ｘ241〜Ｘ480にはドライバＩＣ１４Ｂから駆動電圧が供給され、その行方向の右半分のコラム電極Ｙ１〜Ｙ320にはドライバＩＣ１４Ｃから駆動電圧が供給され、その行方向の左半分のコラム電極Ｙ321〜Ｙ640にはドライバＩＣ１４Ｄから駆動電圧が供給される。
【００３５】
ここで、図４に示す第ｉライン目のコラム電極Ｙｉに着目すると、この例の給電点ＰはＬ／２の位置、すなわち、画素（Ｘ240，Ｙｉ）と画素（Ｘ241，Ｙｉ）との間の位置となる。この給電点Ｐからコラム電極Ｙｉに駆動電圧が供給されるので、給電点Ｐから左端画素（Ｘ１，Ｙｉ）及び、給電点Ｐから左端画素（Ｘ480，Ｙｉ）の各々の電圧降下分布を均等にすることができる。
【００３６】
これは、図５に示す給電点Ｐから左端画素（Ｘ１，Ｙｉ）に至る電極抵抗値Ｒ１と、給電点Ｐから右端画素（Ｘ480，Ｙｉ）に至る電極抵抗値Ｒ２とがほぼ同等になることによる。従って、左端画素（Ｘ１，Ｙｉ）に容量Ｃ１が寄生し、右端画素（Ｘ480，Ｙｉ）にほぼ同じ容量Ｃ２が寄生していた場合でも、電極抵抗値Ｒ１及びＲ２とがほぼ同等になることから、左端画素（Ｘ１，Ｙｉ）及び右端画素（Ｘ480，Ｙｉ）に印加される駆動信号波形を同等にすることができる。
【００３７】
このことは、ロウ電極Ｘ１〜Ｘ480の場合についても、同様なことが言える。図示しないが、第ｊ行目のコラム電極の給電点はＭ／２の位置、すなわち、画素（Ｘｊ，Ｙ320）と画素（Ｘｊ，Ｙ321）との間の位置となる。この給電点からロウ電極Ｘｊに駆動電圧が供給されるので、その給電点から上端画素（Ｘｊ，Ｙ１）及び、その給電点から下端画素（Ｘｊ，Ｙ640）の各々の電圧降下分布を均等にすることができる。
【００３８】
従って、当該平面表示装置１００の表示画面の左右上下の輝度のむらを無くすことができる。このように、表示画面の左右上下の端部の画素に印加される信号電圧波形が、その画面両端・上下端で等しくなることから、表示画面の左右上下端での階調性、色再現性等の表示特性を均等にすることができる（第１の平面表示装置）。
【００３９】
（２）第２の実施形態
図６は本発明に係る第２の実施形態としての平面表示装置２００の構成例を示す後面から見た概念図である。図７はその駆動電圧の供給例を示す断面図である。
【００４０】
この実施形態では、ｎ行のコラム電極Ｙ１〜Ｙ640の各々と、電気的に並列に第１の配線が接続され、同様にして、ｍ列のロウ電極Ｘ１〜Ｘ480の各々と、電気的に並列に第２の配線が接続されるものである。そして、これらのコラム電極Ｙ１〜Ｙ640及び第１の配線によってループ状を成した電極配線の一端に給電点を設け、その給電点から駆動電圧を供給し、同様にして、ロウ電極Ｘ１〜Ｘ480及び第２の配線によってループ状を成した電極配線の一端に給電点を設け、その給電点から駆動電圧を供給するものである。
【００４１】
この平面表示装置２００は図６に示すガラス基板２１を有している。この例でも、ＶＧＡ表示を行なうために、４８０×６４０画素の有機ＥＬディスプレイを構成する。ガラス基板２１上の行方向に、ｎ＝６４０行のストライプ状のコラム電極Ｙ１〜Ｙ640が配置されている。このコラム電極Ｙ１〜Ｙ640の全面上にも、白色発光ＥＬ素子１２が配置され、その素子上には、ｍ＝４８０列のストライプ状のロウ電極Ｘ１〜Ｘ480が配置されている。
【００４２】
例えば、第１行目のコラム電極Ｙ１に着目すると、そのコラム電極Ｙ１上には第１の配線として列方向ショート用の配線２３が設けられ、上端画素（Ｘ１，Ｙ１）と下端画素（Ｘ480，Ｙ１）を短絡するように電気的に並列に接続されている。この例ではガラス基板２１の左上端側に、上述したような給電点が設けられる。以下、同様にして、第２行目のコラム電極Ｙ２上にも配線２３が設けられ、上端画素（Ｘ１，Ｙ２）と下端画素（Ｘ480，Ｙ２）を短絡するように電気的に並列に接続され、ガラス基板２１の左上端側に給電点が設けられる。第６４０行目のコラム電極Ｙ640上にも配線２３が設けられ、上端画素（Ｘ１，Ｙ640）と下端画素（Ｘ480，Ｙ640）を短絡するように電気的に並列に接続され、ガラス基板２１の右上端側に給電点が設けられる。
【００４３】
また、第１ライン目のロウ電極Ｘ１に着目すると、そのロウ電極Ｘ１上には第２の配線としての行方向ショート用の配線２２が設けられ、左端画素（Ｘ１，Ｙ１）と右端画素（Ｘ１，Ｙ640）を短絡するように電気的に並列に接続されている。配線２２には抵抗値の少ない部材を使用する。配線部材にはアルミニウム線、銅線や銀線など使用する。もちろん、多結晶シリコンに不純物を注入したもの線材でもよい。
【００４４】
この例ではガラス基板２１の右端側に、上述したような給電点が設けられる。以下、同様にして、第２ライン目のロウ電極Ｘ２上にも配線２２が設けられ、左端画素（Ｘ２，Ｙ１）と右端画素（Ｘ２，Ｙ640）を短絡するように電気的に並列に接続され、ガラス基板２１の右端側に給電点が設けられる。第４８０ライン目のロウ電極Ｘ480上には配線２２が設けられ、左端画素（Ｘ480，Ｙ１）と右端画素（Ｘ480，Ｙ640）を短絡するように電気的に並列に接続され、ガラス基板２１の右端側に給電点が設けられる。
【００４５】
また、ガラス基板２１の右上端側にはプリント基板２４Ａが配置され、その基板２４Ａ上に半田付けされたドライバＩＣ２５Ａによって、ガラス基板２１の列方向の上半分のロウ電極Ｘ１〜Ｘ240に画素選択用の駆動電圧が供給される。このプリント基板２４Ａと各々の給電点とは、第１の実施形態と同様な材質構造のフレキシブル配線（基板）２６Ａによって接続される。
【００４６】
同様にして、ガラス基板２１の右下端側にはプリント基板２４Ｂが配置され、その基板上に半田付けされたドライバＩＣ２５Ｂによって、ガラス基板２１の列方向の下半分のロウ電極Ｘ241〜Ｘ480に画素選択用の駆動電圧が供給される。このプリント基板２４Ｂ各々の給電点とは、上述したフレキシブル配線（基板）２６Ｂによって接続される。
【００４７】
また、ガラス基板２１の左上端側にはプリント基板２４Ｃが配置され、その基板２４Ｃ上に半田付けされたドライバＩＣ２５Ｃによって、ガラス基板２１の行方向の左半分のコラム電極Ｙ１〜Ｙ320に表示用の駆動電圧が供給される。このプリント基板２４Ｃと各々の給電点とは、第１の実施形態と同様なフレキシブル配線（基板）２６Ｃによって接続される。
【００４８】
同様にして、ガラス基板２１の左上端側にはプリント基板２４Ｄが配置され、その基板２４Ｄ上に半田付けされたドライバＩＣ２５Ｄによって、ガラス基板２１の行方向の左半分のコラム電極Ｙ321〜Ｙ640に表示用の駆動電圧が供給される。このプリント基板２４Ｄと各々の給電点とは、上述したフレキシブル配線（基板）２６Ｄによって接続される。
【００４９】
次に、平面表示装置２００の動作を説明する。例えば、ガラス基板２１の列方向の上半分のロウ電極Ｘ１〜Ｘ240にはドライバＩＣ２５Ａから駆動電圧が供給され、その列方向の下半分のロウ電極Ｘ241〜Ｘ480にはドライバＩＣ２５Ｂから駆動電圧が供給され、その行方向の左半分のコラム電極Ｙ１〜Ｙ320にはドライバＩＣ２５Ｃから駆動電圧が供給され、その行方向の右半分のコラム電極Ｙ321〜Ｙ640にはドライバＩＣ２５Ｄから駆動電圧が供給される。
【００５０】
ここで、配線２２には限りなく抵抗値が「０」Ωに近いものを使用する。そして、図７に示す第ｉライン目のコラム電極Ｙｉに着目すると、この例の給電点は左端画素（Ｘ１，Ｙｉ）の位置Ｐ１と右端画素（Ｘ480，Ｙｉ）の位置Ｐ２＝ｂとの２箇所となる。この２つの給電点Ｐ１とＰ２とは同電位と見なせる。これは、膜厚数百Åのコラム電極Ｙｉに比べて配線２２は数十〜数千μｍ程度に厚く形成できるので、その電気抵抗値を非常に低くすることができるからである。
【００５１】
従って、この２つの給電点Ｐ１、Ｐ２からコラム電極Ｙｉに駆動電圧が供給されるので、給電点Ｐ１から図示しない中央の画素（Ｘ240，Ｙｉ）及び、給電点Ｐ２から中央の画素（Ｘ241，Ｙｉ）に至る左右の電圧降下分布を均等にすることができる。これにより、第１の実施形態と同様に、左端画素（Ｘ１，Ｙｉ）及び右端画素（Ｘ480，Ｙｉ）に印加される駆動信号波形を同等にすることができる。このことは、図６に示した配線２３を接続したロウ電極Ｘ１〜Ｘ480の場合についても、同様なことが言えるが、その説明は省略する。
【００５２】
このように、当該平面表示装置２００の表示画面の左右上下の輝度むらについても、第１の実施形態と同様に無くすことができ、表示画面の左右上下端での階調性、色再現性等の表示特性を均等にすることができる（第２の平面表示装置）。
【００５３】
（３）第３の実施形態
図８は本発明に係る第３の実施形態としての平面表示装置３００の構成例を示す背面から見た概念図である。この実施形態では、パネル内のコラム電極群を上下に分割して駆動信号を与える分割駆動方式（ｐ＝２及びｑ＝２）を採用する場合であって、パネル内で分割された例えばコラム電極の切れ目部分で、その隣合ったコラム電極部分の表示特性を等しくできるようにして、平面表示装置３００の表示ユニフォーミティーを改善できるようにしたものである。
【００５４】
この平面表示装置３００は図８に示すガラス基板３１を有している。この例でも、ＶＧＡ表示を行なうために、４８０×６４０画素の有機ＥＬディスプレイを構成する。この例ではガラス基板３１上の列方向において、パネル中央部分で上・下（ＵＰ・ＤＯＷＮ）に電極そのものを２つに分割（ｑ＝２）した第１電極として、つまり、ロウ電極Ｘ240とロウ電極Ｘ241との間で分離されたｎ＝６４０行のストライプ状のコラム電極Ｙ１U〜Ｙ640U及びコラム電極Ｙ１D〜Ｙ640Dが配置されている。
【００５５】
ここで、コラム電極Ｙ１U〜Ｙ640Uは分離領域の上側に配置され、コラム電極Ｙ１D〜Ｙ640Dはその分離領域の下側に配置される。この電極配置はコラム電極Ｙｉに供給する駆動電圧のデューティ比を１／２にするためである。このコラム電極Ｙ１〜Ｙ640の全面上にも、白色発光ＥＬ素子１２が配置され、その素子上には、ｍ＝４８０列のストライプ状のロウ電極Ｘ１〜Ｘ480が配置されている。
【００５６】
この例で、ガラス基板３１の右側上部にはプリント基板３２Ａが配置され、その基板３２Ａ上にはドライバＩＣ３３Ａが半田付けされている。このドライバＩＣ３３Ａは、ガラス基板３１の列方向の上半分のロウ電極Ｘ１〜Ｘ240のいずれもＬ／２の位置に設けられた２４０箇所の給電点に接続され、そのロウ電極Ｘ１〜Ｘ240のグループに画素選択用の駆動電圧が供給される。プリント基板３２Ａと各々の給電点とは、第１の実施形態と同様にしてフレキシブル配線（基板）３４Ａによって接続される。
【００５７】
また、ガラス基板３１の左側下部にはプリント基板３２Ｂが配置され、その基板３２Ｂ上にはライバＩＣ３３Ｂが半田付けされている。このドライバＩＣ３３Ｂは、その列方向の下半分のロウ電極Ｘ241〜Ｘ480のいずれもＬ／２に設けられた残り２４０箇所の給電点に接続され、そのロウ電極Ｘ241〜Ｘ480のグループに画素選択用の駆動電圧が供給される。プリント基板３２Ｂと各々の給電点とは上述したようなフレキシブル配線３４Ｂによって接続される。
【００５８】
更に、ガラス基板３１の左側上部にはプリント基板３２Ｃが配置され、その基板３２Ｃ上にはドライバＩＣ３３Ｃが半田付けされている。このドライバＩＣ３３Ｃは、その行方向の上側のコラム電極Ｙ１U〜Ｙ320UのいずれもＭ／４の位置、つまり、ロウ電極Ｘ120とロウ電極Ｘ121との間に設けられた３２０箇所の給電点に接続され、そのコラム電極Ｙ１U〜Ｙ320Uのグループに画素表示用の駆動電圧が供給される。プリント基板３２Ｃと各々の給電点とは、第１の実施形態と同様にフレキシブル配線３４Ｃによって接続される。
【００５９】
同様にして、ガラス基板３１の右側上部にはプリント基板３２Ｄが配置され、その基板３２Ｄ上にはドライバＩＣ３３Ｄが半田付けされている。このドライバＩＣ３３Ｄは、その行方向の上側のコラム電極Ｙ321U〜Ｙ640UのいずれもＭ／４の位置、つまり、ロウ電極Ｘ120とロウ電極Ｘ121との間に設けられた３２０箇所の給電点に接続され、そのコラム電極Ｙ321U〜Ｙ640Uのグループに画素表示用の駆動電圧が供給される。プリント基板３２Ｄと各々の給電点とは、第１の実施形態と同様にフレキシブル配線３４Ｄによって接続される。
【００６０】
更に、ガラス基板３１の左側下部にはプリント基板３２Ｅが配置され、その基板３２Ｅ上にはドライバＩＣ３３Ｅが半田付けされている。このドライバＩＣ３３Ｅは、その行方向の下側のコラム電極Ｙ１D〜Ｙ320DのいずれもＭ／４の位置、つまり、ロウ電極Ｘ360とロウ電極Ｘ361との間に設けられた３２０箇所の給電点に接続され、そのコラム電極Ｙ１D〜Ｙ320Dのグループに画素表示用の駆動電圧が供給される。プリント基板３２と各々の給電点とは、第１の実施形態と同様にフレキシブル配線３４Ｅによって接続される。
【００６１】
同様にして、ガラス基板３１の右側下部にはプリント基板３２Ｆが配置され、その基板３２Ｆ上にはドライバＩＣ３３Ｆが半田付けされている。このドライバＩＣ３３Ｆは、その列方向の下側のコラム電極Ｙ321D〜Ｙ640DのいずれもＭ／４の位置、つまり、ロウ電極Ｘ360とロウ電極Ｘ361との間に設けられた３２０箇所の給電点に接続され、そのコラム電極Ｙ321D〜Ｙ640Dのグループに画素表示用の駆動電圧が供給される。プリント基板３２Ｆと各々の給電点とは、第１の実施形態と同様にフレキシブル配線３４Ｆによって接続される。この例ではドライバＩＣ３３Ａ及び３３Ｂによって第１〜第ｑの駆動回路が構成され、ドライバＩＣ３３Ｃ〜３３Ｆによって２組の第１〜第ｐの駆動回路が構成される。
【００６２】
次に、平面表示装置３００の動作を説明する。この例ではｎ＝６４０行のコラム電極Ｙｉそのものをガラス基板３１の列方向でｑ＝２に分割され、このｎ行のコラム電極の数が行方向にｐ＝２に分割され、かつ、ｍ＝４８０列のロウ電極Ｘｉの数を列方向にｑ＝２に分割して使用する場合を想定する。
【００６３】
例えば、ガラス基板３１の列方向の上半分のロウ電極Ｘ１〜Ｘ240にはドライバＩＣ３３Ａから駆動電圧が供給され、その列方向の下半分のロウ電極Ｘ241〜Ｘ480にはドライバＩＣ３３Ｂから駆動電圧が供給され、その行方向の左上半分のコラム電極Ｙ１U〜Ｙ320UにはドライバＩＣ３３Ｃから駆動電圧が供給され、その行方向の右上半分のコラム電極Ｙ321U〜Ｙ640UにはドライバＩＣ３３Ｄから駆動電圧が供給される。更に、その行方向の左下半分のコラム電極Ｙ１D〜Ｙ320DにはドライバＩＣ３３Ｅから駆動電圧が供給され、その行方向の右下半分のコラム電極Ｙ321D〜Ｙ640DにはドライバＩＣ３３Ｆから駆動電圧が供給される。
【００６４】
従って、各々の給電点から各々の電極端までの電圧降下（分布）を均等にできるので、表示画面の中央部の画素と左上端部及び左下端部の画素に印加される信号電圧波形とが等しくなり、表示画面の中央部の画素と右上端部及び右下端部の画素に印加される信号電圧波形とが等しくなる。このことから、コラム電極の切れ目部分であるロウ電極Ｘ240とロウ電極Ｘ241との間で、その隣合ったコラム電極部分であるコラム電極Ｙ１U〜Ｙ640Uとコラム電極Ｙ１D〜コラム電極Ｙ640Dの表示特性を等しくできる。これにより、従来方式に比べて平面表示装置３００の表示ユニフォーミティーを改善することができる（第３の平面表示装置）。
【００６５】
（４）応用例
図９Ａ及び９Ｂは従来方式の大型平面表示パネルと本発明方式の大型平面表示パネルとを比較する前面から見た概念図である。この実施形態では上述した平面表示装置１００、２００、３００などをタイル状に敷き詰めた大型平面表示パネル（以下タイリングディスプレイという）を構成したものである。そして、従来方式と本発明方式とを比較したものである。
【００６６】
図９Ａに示す従来方式のタイリングディスプレイ４００は、図１０に示した平面表示装置１０を二次元的に複数個、タイル状に敷き詰めたものである。図９Ａにおいて、平面表示装置１０Ａ、１０Ｂ、１０Ｃ・・・が水平方向に並べられ、これに隣接するように垂直方向には平面表示装置１０Ｄ、１０Ｅ、１０Ｆ・・・が並べられている。このため、水平方向では平面表示装置１０Ａと平面表示装置１０Ｂの継ぎ目部分の画素の輝度に連続性が無くなる。垂直方向では平面表示装置１０Ａと平面表示装置１０Ｄの継ぎ目部分の画素の輝度に連続性が無くなる。従って、全体的に輝度ムラを生じ、タイリングディスプレイ４００としての表示品質が劣ってしまう。
【００６７】
これに対して図９Ｂに示す本発明方式のタイリングディスプレイ５００では、上述した平面表示装置１００、２００又は３００などがタイル状に敷き詰められる。図９Ｂにおいて、平面表示装置１００Ａ、１００Ｂ、１００Ｃ・・・が水平方向に並べられ、これに隣接するように垂直方向には平面表示装置１００Ｄ、１００Ｅ、１００Ｆ・・・が並べられている。
【００６８】
本発明方式では、個々の平面表示装置１００Ａ〜１００Ｆ・・・の表示特性を均等にできることから、従来方式のような輝度ムラを生ずることなく、継ぎ目の目立たないシームレスな大画面、かつ、高解像度の表示を行なうことができた。
【００６９】
なお、本実施形態では発光薄膜部材について有機ＥＬ素子を使用する場合について説明したが、これに限られることはなく、無機ＥＬ素子を使用する場合につても同様な効果が得られる。その際の無機ＥＬ素子には、ＳｒＳ：Ｃｅ／ＺｎＳ：Ｍｎの積層型、あるいは、ＳｒＳ：Ｃｅ、Ｅｕを使用する。
【００７０】
【発明の効果】
以上説明したように、本発明によれば、板状の発光薄膜部材の一方の面の行方向に配置されたｎ行のストライプ状の第１電極と、その他方の面の列方向に配置されたｍ列のストライプ状の第２電極とのいずれもほぼ中央部分に各々の給電点を設け、その給電点から駆動電圧を供給するものである。
【００７１】
この構成によって、表示画面の左右上下の端部の画素に印加される信号電圧波形が、その画面両端・上下端で等しくなり、表示画面の左右上下端での階調性、色再現性等の表示特性を均等にすることができる。
【００７２】
この発明は、有機薄膜ＥＬパネルや電界発光パネルをタイル状に敷き詰めた大型平面ディスプレイなどに適用して極めて好適である。
【図面の簡単な説明】
【図１】第１の実施形態としての平面表示装置１００の構成例を示す背面から見た概念図である。
【図２】その平面表示装置１００の有機ＥＬセルの断面の構成例を示す斜視図である。
【図３】その有機ＥＬセルの動作例を示す断面図である。
【図４】その平面表示装置１００の駆動電圧の供給例を示す断面図である。
【図５】その平面表示装置１００のロウ電極の１ラインの回路例を示す図である。
【図６】第２の実施形態としての平面表示装置２００の構成例を示す背面から見た概念図である。
【図７】その平面表示装置２００の駆動電圧の供給例を示す断面図である。
【図８】第３の実施形態としての平面表示装置３００の構成例を示す背面から見た概念図である。
【図９】Ａは、従来方式のタイリングディスプレイ４００の構成例を示す上面図、Ｂは本発明方式のタイリングディスプレイ５００の構成例を示す上面図である。
【図１０】従来方式の平面表示装置１０の構成例を示す背面から見た概念図である。
【図１１】その平面表示装置１０のロウ電極の１ラインの回路例を示す図である。
【符号の説明】
１１，２１，３１・・・ガラス基板、１２・・白色発光ＥＬ素子、１３Ａ〜１３Ｄ，２４Ａ〜２４Ｄ，３２Ａ〜３２Ｆ・・・プリント基板、１４Ａ〜１４Ｄ，２５Ａ〜２５Ｄ，３３Ａ〜３３Ｆ・・・ドライバＩＣ、１５Ａ〜１５Ｄ，２６Ａ〜２６Ｄ，３４Ａ〜３４Ｆ・・・フレキシブル配線（基板）、２２，２３・・・配線、４０・・・有機ＥＬセル、４１・・・コラム電極、４２・・・有機層、４２Ａ・・・有機正孔輸送層、４２Ｂ・・・有機発光層、４２Ｃ・・・有機電子輸送層、４３・・・ロウ電極、１００，２００，３００・・・平面表示装置、４００・・・タイリングディスプレイ
【図１】
0004366743.tif 000002
【図２】
0004366743.tif 000003
【図３】
0004366743.tif 000004
【図４】
0004366743.tif 000005
【図５】
0004366743.tif 000006
【図６】
0004366743.tif 000007
【図７】
0004366743.tif 000008
【図８】
0004366743.tif 000009
【図９】
0004366743.tif 000010
【図１０】
0004366743.tif 000011
【図１１】
0004366743.tif 000012